(57)【要約】【課題】浸水工程時の米への吸水が十分に行われることにより、おいしい米が炊ける炊飯器を提供することを目的とする。【解決手段】米を収容する鍋３と、鍋を加熱する鍋加熱手段５と、マイクロ波供給手段６と、水供給手段１０を有し、浸水工程の後、炊き上げ工程、次いで追い炊き工程を有する炊飯器において、マイクロ波によって米を加熱する米加熱処理と米に水を接触させて米の吸水を促進する米吸水処理を行うことによって、米の表面から内部に向かって微細な亀裂が入り吸水を促進する浸水工程を有するため、浸水工程終了時に米の含水率が十分になり、おいしい米を炊くことができる。【選択図】図１
2014200470.tif 000002
【特許請求の範囲】
【請求項１】
米を収容する鍋と、前記鍋内の米を加熱する鍋加熱手段と、前記鍋内の米をマイクロ波加熱するマイクロ波供給手段と、前記鍋内に水を供給する水供給手段を有し、
前記鍋内の米が全て水に浸漬されていない状態で前記鍋加熱手段または前記マイクロ波供給手段によって米を加熱する米加熱処理と、前記水供給手段によって前記鍋内の米に水を接触させて米の吸水を促進する米吸水処理を行い、その後前記水供給手段によって炊飯に必要な量の加水をして前記鍋加熱手段または前記マイクロ波供給手段によって米を加熱して炊飯するようにした炊飯器。
【請求項２】
ミスト供給手段を有し、前記米吸水処理時に前記ミスト供給手段により米にミストを噴霧して米の吸水を促進するミスト処理を行うようにした請求項１に記載の炊飯器。
【請求項３】
前記ミスト供給手段はミスト発生手段を有し、前記ミスト発生手段により発生したミストを加熱するミスト加熱手段を有し、米に加熱したミストを噴霧して米の吸水を促進するミスト処理を行うようにした請求項２に記載の炊飯器。
【請求項４】
前記マイクロ波供給手段によるマイクロ波によって米を加熱する米加熱処理と米にミストを噴霧して米の吸水を促進するミスト処理を繰り返し作用させるようにした請求項２または３に記載の炊飯器。
【請求項５】
前記マイクロ波供給手段は、加熱する米の量に応じて照射するマイクロ波の強度を可変するようにした請求項１〜４のいずれか１項に記載の炊飯器。
【請求項６】
前記水供給手段は、水を貯水する水容器と、前記水容器の水を鍋内に供給する水給水手段を備えた請求項１〜５のいずれか１項に記載の炊飯器。
【請求項７】
前記水容器の水を加熱する水加熱手段を備えた請求項６に記載の炊飯器。
【発明の詳細な説明】
【技術分野】
【０００１】
本発明は、炊飯器に関するものであり、特に、炊飯の時間を短縮できる時短炊飯器に関するものである。
【背景技術】
【０００２】
従来の一般的な炊飯器では、図５に示すように鍋底の温度をもとに浸水工程（Ａ）、炊き上げ工程（Ｂ）、追い炊き工程（Ｃ）の３つの工程で炊飯を行う炊飯方法を用いている。浸水工程（Ａ）では米の内部まで水を吸収させている。
【０００３】
水分を十分に含んだ米に一定時間熱を与えると、米は糊化され、ご飯になる。この一定時間熱を与える工程が図５の炊き上げ工程（Ｂ）から追い炊き工程（Ｃ）となる。そのため、米に約３０％以上の水を吸収させておくことが必要とされている。よって、米一粒がムラなく糊化してふっくらと炊き上がるには、米粒の表面から内部まで十分に吸水させることが重要である。
【０００４】
ここで、浸水工程における米の含水率の変化を図６に示す。米の含水率は浸水する水の温度と浸水する時間の影響を受けて、含水率が変わる。一般的には米を浸水する水温は高いほど、急速に吸水される。
【０００５】
しかし、米の糊化温度である６０℃以上に浸水すると、米表面が糊化して内部への吸水を妨げる。よって、現在の炊飯器では、少しでも炊飯時間を短縮させるために、吸水を早くする目的で、米が湖化しない範囲の最高温度（例えば、５５℃〜５８℃）で一定時間保持するような浸水工程を設定している。
【０００６】
図６に示すように、２０℃の水よりも５５℃の水温で浸水する方が、米への吸水は早くなるが、３０分以上浸漬しても含水率３０％付近で一定になり、それ以上吸水されない。よって、５５℃から５８℃で２０分くらい掛けて浸水工程を行い、この後、炊き上げから追い炊き工程を経て、さらに米は吸水して炊飯終了時には含水率６３％に達し、ご飯になる。
【０００７】
この浸水工程時における米への吸水を促進させる炊飯器として、例えば、蒸気発生手段を備えた炊飯器がある。浸水工程の際に鍋の上方から蒸気を供給し、熱量を増加させる方法により、炊飯初期の水の温度を糊化が起こらない温度に短時間で上昇させ、水温の立ち上がり時間を早めることによって、米の吸水速度を速くしている（例えば、特許文献１参照）。
【先行技術文献】
【特許文献】
【０００８】
【特許文献１】特開２００３−１４４３０８号公報
【発明の概要】
【発明が解決しようとする課題】
【０００９】
しかしながら、上記従来の炊飯器のように、炊飯初期の水の温度を糊化が起こらない温度に短時間で上昇させ、米の吸水速度を速くしても、浸水工程時の米への吸水が十分とは言えなかった。
【００１０】
本発明は、このような前記従来の課題を解決したもので、浸水工程時の米への吸水が十
分に行われることにより、おいしい米が炊ける炊飯器を提供することを目的とする。
【課題を解決するための手段】
【００１１】
前記従来の課題を解決するために、本発明の炊飯器は、米を収容する鍋と、前記鍋を加熱する鍋加熱手段と、マイクロ波供給手段と、水供給手段を有し、米が全て水に浸漬されていない状態で前記鍋加熱手段または前記マイクロ波供給手段によって米を加熱する米加熱処理と、前記水供給手段によって米に水を接触させて米の吸水を促進する米吸水処理を行い、その後前記水供給手段によって炊飯に必要な量の加水をして前記鍋加熱手段または前記マイクロ波供給手段によって米を加熱して炊飯するようにしている。
【００１２】
このように、マイクロ波によって米を加熱する米加熱処理と米に水を接触させて米の吸水を促進する米吸水処理を行うことによって、米の表面から内部に向かって微細な亀裂が入り吸水を促進することができる。マイクロ波は内部まで加熱することができるため、素早く米粒全体を加熱し、その後水に接触させることでヒートショックを与え米粒に微細な亀裂を生じさせる。
【００１３】
このことは、通常の米の浸水と同様のことが短時間で起こっているものである。米粒内部にまで微細な亀裂が生じれば、表面張力によって水が米粒内部に素早く浸透するため浸水工程を大幅に短時間化することができる。
【００１４】
その結果、短時間での浸水でも、浸水工程終了時に米の含水率が十分になり、おいしい米を炊くことができる。
【発明の効果】
【００１５】
本発明の炊飯器は、浸水工程の後、炊き上げ工程、次いで追い炊き工程を有する炊飯器において、マイクロ波によって米を加熱する米加熱処理と米に水を接触させて米の吸水を促進する米吸水処理を行うことによって、米の表面から内部に向かって微細な亀裂が入り吸水を促進する浸水工程を有するため、浸水工程終了時に米の含水率が十分になり、おいしい米を炊くことができる。
【図面の簡単な説明】
【００１６】
【図１】本発明の実施の形態１における炊飯器の断面図
【図２】（ａ）従来炊飯における吸水の動態を示した模式図（ｂ）本発明の実施の形態１における炊飯器の炊飯による吸水の動態を示した模式図
【図３】本発明の実施の形態１における炊飯器の炊飯工程と従来炊飯における炊飯を示したグラフ
【図４】本発明の実施の形態１における炊飯器の炊飯方法で炊飯したご飯と、従来の炊飯方法で炊飯したご飯との食味比較を行ったものを示したグラフ
【図５】従来の炊飯器の炊飯工程における温度変化を示したグラフ
【図６】従来の炊飯器の吸水の状態を示したグラフ
【発明を実施するための形態】
【００１７】
第１の発明は、米を収容する鍋と、前記鍋を加熱する鍋加熱手段と、マイクロ波供給手段と、水供給手段を有し、米が全て水に浸漬されていない状態で前記鍋加熱手段または前記マイクロ波供給手段によって米を加熱する米加熱処理と、前記水供給手段によって米に水を接触させて米の吸水を促進する米吸水処理を行い、その後前記水供給手段によって炊飯に必要な量の加水をして前記鍋加熱手段または前記マイクロ波供給手段によって米を加熱して炊飯するようにした炊飯器とした。
【００１８】
これによれば、マイクロ波によって米を加熱する米加熱処理と米に水を接触させて米の
吸水を促進する米吸水処理を行うことによって、米の表面から内部に向かって微細な亀裂が入り吸水を促進することができる。マイクロ波は内部まで加熱することができるため、素早く米粒全体を加熱し、その後水に接触させることでヒートショックを与え米粒に微細な亀裂を生じさせる。このことは、通常の米の浸水と同様のことが短時間で起こっているものである。米粒内部にまで微細な亀裂が生じれば、表面張力によって水が米粒内部に素早く浸透するため浸水工程を大幅に短時間化することができる。その結果、短時間での浸水でも、浸水工程終了時に米の含水率が十分になり、おいしい米を炊くことができる。
【００１９】
第２の発明は、特に、第１の発明において、ミスト供給手段を有し、前記米吸水処理時に前記ミスト供給手段により米にミストを噴霧して米の吸水を促進するミスト処理を行うものである。
【００２０】
これによれば、マイクロ波によって、米粒内部まで加熱し、素早く米粒全体を加熱し、その後ミストに接触させることで微細な亀裂から水が米粒内部に素早く浸透する。その結果、短時間での浸水でも、浸水工程終了時に米の含水率が十分になり、おいしい米を炊くことができる。
【００２１】
第３の発明は、特に、第２の発明において、前記ミスト供給手段はミスト発生手段と、前記ミスト発生手段により発生したミストを加熱するミスト加熱手段を有し、米に加熱したミストを噴霧して米の吸水を促進するミスト処理を行うものである。
【００２２】
これによれば、加熱されたミストを米粒と接触させることで、米に熱を与え米澱粉の糊化と吸水を同時並行的に促進し、吸水を加速させる効果を有する。さらに、米粒より温度が高いミストを噴霧することで米粒に凝縮熱を与えるため糊化と吸水を促進させることができる。その結果、短時間での浸水でも、浸水工程終了時に米の含水率が十分になり、おいしい米を炊くことができる。
【００２３】
第４の発明は、特に、第２または第３の発明において、前記マイクロ波供給手段によるマイクロ波によって米を加熱する米加熱処理と米にミストを噴霧して米の吸水を促進するミスト処理を繰り返し作用させるようにした。
【００２４】
これによれば、マイクロ波によって米を加熱する米加熱処理と米に水を接触させて米の吸水を促進する米吸水処理を行うことによって、米の表面から内部に向かって微細な亀裂が入り短時間で吸水を促進することができる。マイクロ波は内部まで加熱することができるため、素早く米粒全体を加熱し、その後水に接触させることでヒートショックを与え米粒に微細な亀裂を生じさせる。さらに、マイクロ波で内部まで加熱することと、水に接触させることを繰り返すことによって、ヒートショックが繰り返されて、米の表面から内部に向かって微細な亀裂がより多く入り吸水を促進することができる。その結果、短時間での浸水でも、浸水工程終了時に米の含水率が十分になり、おいしい米を炊くことができる。
【００２５】
第５の発明は、特に、第１〜４のいずれか１つの発明において、マイクロ波供給手段は、加熱する米の量に応じて照射するマイクロ波の強度を可変するようにしたことで、最小限のマイクロ波で加熱することができるので、無駄なエネルギーを省くことができる。
【００２６】
第６の発明は、特に、第１〜５のいずれか１つの発明において、前記水供給手段は、水を貯水する水容器と、前記水容器の水を鍋内に供給する水給水手段を備えた構成とすることにより、浸水工程で、米が入った鍋内にミスト等の水を供給し、吸水を促進させた後、自動的に炊飯に必要な水を給水することで、短時間で炊飯することができる。
【００２７】
第７の発明は、特に、第６の発明において、前記水容器の水を加熱する水加熱手段を備えた構成とすることにより、浸水工程で米が入った鍋内にミスト等の水を供給し、吸水を促進させた後、自動的に炊飯に必要な湯を給湯することで、炊き上げ工程において短時間での沸騰を実現できるとともに、糊化と吸水を加速させることができ、さらに短時間で良好な状態のご飯を提供することができる。
【００２８】
以下、本発明の実施の形態について、図面を参照しながら説明する。なお、この実施の形態によって本発明が限定されるものではない。
【００２９】
（実施の形態１）
図１は本発明の第１の実施の形態における炊飯器の断面図である。
【００３０】
図１に示すように、本実施の形態における炊飯器は、本体１と、本体１の上部を開閉自在に覆っている蓋体２とを備えている。本体１内には、ステンレスもしくはその複合材料等を使用した磁性金属製の有底筒状の鍋３を着脱自在に収納している。鍋３は、鍋３を収納した状態では鍋３の側面と底面を囲う金属製の保護枠４に支持されている。さらに、鍋３は、被調理物である米を収容可能としている。
【００３１】
つまり、鍋３は開口部の周縁に形成したフランジ３ａを保護枠４に懸架しているものである。保護枠４の底部には、高周波磁界を発生して鍋３を誘導加熱する鍋加熱手段５を設けている。鍋加熱手段５は、加熱コイル５ａと鍋温度検知手段５ｂから構成されている。
【００３２】
また、鍋３の後方の空間部には、マイクロ波を発信するマグネトロン６と、マグネトロン６と加熱コイル５ａの動作を制御する制御手段７と、制御手段７の一部を構成するマグネトロン駆動電源７ａとを配置している。
【００３３】
マイクロ波供給手段であるマグネトロン６は、マグネトロン６が発信するマイクロ波を空中に放出するアンテナ６ａと、マイクロ波を案内する導波管６ｂを備えている。また、蓋体２は、蓋体２を閉じた状態では鍋３の上面の開口部と本体１の上面の開口部を覆う金属製の蓋下２ａを有している。
【００３４】
つまり蓋下２ａは、蓋体２を閉じた状態では保護枠４と共にマグネトロン６が発信するマイクロ波による加熱空間であるキャビティを構成している。前記導波管６ｂは、このキャビティまでマイクロ波を案内している。
【００３５】
保護枠４の上方には、保護枠４の一部を箱形に成形したチョーク４ａを多数配置しており、マイクロ波を遮蔽している。蓋体２は、保護枠４の表面に設けているヒンジ９によって、蓋下２ａと共に保護枠４に対して上方向に回動自在に結合されている。上枠８は、保護枠４とほぼ一体に保護枠４の周囲を取り巻くように形成している。
【００３６】
また、鍋３の後方の空間部には、水供給手段である加水手段１０（水容器１１、水加熱手段１２、水温度検知手段１３で構成）を有する。水容器１１は水を貯水し、水加熱手段１２は水容器１１に貯水された水を加熱し、水温度検知手段１３は水容器１１に貯水された水の温度を検知するものである。
【００３７】
蓋体２は更に、鍋３の開口部を覆う加熱板１４、加熱板１４を誘導加熱する加熱板加熱手段１５（誘導加熱コイルである）、加熱板１４の温度を検知する加熱板温度検知手段１６、水容器１１の水を鍋３内に導くためのポンプ１７、水経路１８を有する。
【００３８】
加熱板１４は、中心部に蒸気孔１９、その近傍に吸水口２０を有する。吸水口２０には
弁２１が圧接され、ポンプ１７によって通水する水量が少ないときは吸水口２０からは霧状のミストが鍋３内に噴霧され、水量が多くなると吸水口２０が全開して一気に給水できるようになっている。吸水口２０と弁２１とによりミスト供給手段が構成されている。
【００３９】
制御手段７は、回路基板（図示しない）に搭載されたマイクロコンピュータを有する。制御手段７（マイクロコンピュータ）はソフトウエアにより、ユーザーが操作パネル（図示しない）を介して入力する操作指令、鍋温度検知手段５ｂ、水温度検知手段１３、加熱板温度検知手段１６から入力される信号に基づき、あらかじめマイクロコンピュータに記憶された炊飯プログラムにより、鍋３、加水手段１０、加熱板１４の加熱制御を行う。
【００４０】
制御手段７は、鍋加熱手段５、水加熱手段１２、加熱板加熱手段１５の加熱量を、各加熱手段の通電率及び／又は通電量によって制御する。
【００４１】
また、制御手段７は、炊飯工程や水温度検知手段１３から入力される信号に基づき、あらかじめマイクロコンピュータに記憶された炊飯プログラムにより、ポンプ１７の動作制御を行う。
【００４２】
以上のように構成された炊飯器について、以下その動作、作用を説明する。
【００４３】
ユーザーが、炊飯を行う米とその米量に対応する水とを鍋３に入れ、その鍋３を本体１に内装する。更にユーザーが目的とする炊飯メニューを選び炊飯開始スイッチ（図示しない）を操作すると、炊飯工程が実施される。
【００４４】
炊飯工程は、時間順に浸水、炊き上げ、沸騰維持、追い炊きに大分される。浸水工程において、ポンプ１７を動作させて水容器１１内の水を、水経路１８を通じて吸水口２０から鍋３内に供給するようにしている。
【００４５】
この時、制御手段７によって、ポンプ１７を制御し通水する水量を少なくしているため吸水口２０からは霧状のミストが鍋３内に噴霧される。その後、マグネトロン６と鍋加熱手段５が動作する。
【００４６】
マグネトロン６が動作すると、マイクロ波を発信する。このマイクロ波は導波管６ｂによってキャビティまで案内され、キャビティ内に配置している鍋３に収容している米を加熱する。ミストによって米粒表面が湿潤しているため、このマイクロ波による加熱によって鍋３内の米全体が加熱される。
【００４７】
このように、マイクロ波によって米を加熱する米加熱処理と米に水を接触させて米の吸水を促進する米吸水処理を行うことによって、米の表面から内部に向かって微細な亀裂が入り吸水を促進することができる。
【００４８】
マイクロ波は米の内部まで加熱することができるため、素早く米粒全体を加熱し、その後水に接触させることでヒートショックを与え米粒に微細な亀裂を生じさせる。さらに、マイクロ波で内部まで加熱することと、水に接触させることを繰り返すことによって、ヒートショックが繰り返されて、米の表面から内部に向かって微細な亀裂がより多く入り吸水を促進することができる。
【００４９】
米の水分率が３０％程度になるまで上記動作を繰り返している間、水温度検知手段１３からの信号を元に制御手段７によって水加熱手段１２への通電を制御して、水容器１１内の水を所定の温度（例えば６０℃）まで上昇させる。
【００５０】
米の水分率が３０％程度になる所定時間が経過した後、ポンプ１７を動作させて水容器１１内の水を、水経路１８を通じて吸水口２０から鍋３内に供給する。この時、制御手段７によってポンプ１７を制御し、通水する水量を多くしているため吸水口２０からは十分な量の水を一気に鍋３内に投入することができる。
【００５１】
次に、炊き上げ工程において、鍋３の温度が所定値（１００℃）になるまで鍋加熱手段５によって、鍋３を所定の熱量で加熱する。この時の温度上昇速度によって、炊飯量を判定する。沸騰維持工程において、鍋３内の水が無くなり、鍋３内の温度が、米が焦げない１００℃を超えた所定値になるまで、鍋加熱手段５及び加熱板加熱手段１５に通電し、米と水を加熱する。
【００５２】
浸水、炊き上げ、の各工程において、ユーザーが目的とする米の炊き上がり状態になるように水温度検知手段１３からの信号をもとに水加熱手段１２を制御し、水容器１１内の水の温度を所定温度に維持する。
【００５３】
最後に追い炊き工程において、一定時間の間に複数回、炊飯量に応じた鍋加熱手段５及び加熱板加熱手段１５による加熱（追い炊き）と加熱の停止（休止）を繰り返す。
【００５４】
鍋３内の米が少量の場合は、マイクロ波が吸収されにくいので、マイクロ波を断続供給して米内部の熱伝導を利用しながら加熱する。
【００５５】
一方、米が多量の場合は、通常より大きな強度のマイクロ波を連続的に供給する。加熱する米の量に応じてマイクロ波の強度を変化させることで、最適なマイクロ波強度で米を加熱することができ、無駄なエネルギーを省くことができる。
【００５６】
図２は、米粒に亀裂が入っている様子を、本発明の実施の形態１における炊飯による吸水と従来炊飯における吸水の動態を示した模式図である。
【００５７】
マイクロ波によって米を加熱する米加熱処理と米に水を接触させて米の吸水を促進する米吸水処理を行うことによって、米の表面から内部に向かって微細な亀裂が入り吸水を促進することができる。マイクロ波は内部まで加熱することができるため、素早く米粒全体を加熱し、その後水に接触させることでヒートショックを与え米粒に微細な亀裂を生じさせる。
【００５８】
このことは、通常の米の浸水と同様のことが短時間で起こっていることになるが、本実施の形態では米粒により多くの亀裂を生じさせることが可能であり、米粒の全方位から水が浸透するために吸水速度が速い。
【００５９】
図２（ａ）に示すように、従来炊飯における吸水では、通常米の長手方向の上下から亀裂が生じ米粒の中心付近まで吸水が進む。その後、中心部の２箇所ないしは３箇所に水分が良く吸水される部位が生じ、当該部位を起点に米粒の外側に向かって亀裂が生じていく。よって、米粒全体に水分が行き渡るまでに相応の時間がかかり、通常３０分程度以上はかかるものである。
【００６０】
一方、本発明の実施の形態１における炊飯による吸水では、図２（ｂ）に示すように、ヒートショックによって米粒により多くの亀裂を生じさせることが可能であり、米粒の全方位から水が浸透するために米粒全体に水分が行き渡る時間が短縮されるものである。
【００６１】
その結果、短時間での浸水でも、浸水工程終了時に米の含水率が十分になり、おいしい米を炊くことができる。
【００６２】
図３は、本発明の実施の形態１における炊飯工程と従来炊飯における炊飯を示したものであり、浸水工程、炊き上げ工程、沸騰維持工程、追い炊き工程からなっている。横軸を経過時間、縦軸を米温度および米の含水率として、各工程における加熱の一例を示したものである。
【００６３】
図３に示すように、本発明の実施の形態１における炊飯では、マイクロ波とミストの作用によって吸水が促進され非常に短時間で含水率が３０％に達していることが分かる。また、炊き上げ工程にて給湯することによって素早く沸騰させることができ、米の糊化を促進してご飯を短時間で炊き上げる。
【００６４】
これによって、従来のように時間をかけて吸水と糊化を進めていたものが従来の早炊きと遜色の無い程度の短時間で吸水と糊化を進めることが出来、炊飯時間の短縮化につながる。
【００６５】
図４は、本発明の実施の形態１における炊飯方法で炊飯したご飯と、従来の炊飯方法で炊飯したご飯との食味比較（評価人数は１０名）を行ったものを示したものである。縦軸に美味しさの程度が最も大きい場合を１００として０〜１００の範囲で示した。
【００６６】
図４に示すように、本発明の実施の形態１における炊飯方法で炊飯したご飯は短時間にもかかわらず、従来の炊飯のご飯と遜色の無い食味を示しており、十分に糊化が進んでいることを言い表している。これは、浸水工程において含水率が３０％に達しているために、一気に炊き上げても吸水と糊化が同時並行的に進むことで芯残りの無い食感のよいご飯になっているためである。
【産業上の利用可能性】
【００６７】
以上のように、本発明にかかる炊飯器は、上記実施の形態に示した構成に限定されず種々の形態のものに適用できるものであり、マイクロ波によって米を加熱する米加熱処理と米に水を接触させて米の吸水を促進する米吸水処理を行うことによって、米の表面から内部に向かって微細な亀裂が入り吸水を促進することができ、本発明の技術範囲において種々の形態を包含するものである。
【符号の説明】
【００６８】
１  本体
２  蓋体
２ａ  蓋下
３  鍋
４  保護枠
５  鍋加熱手段
５ａ  加熱コイル
５ｂ  鍋温度検知手段
６  マグネトロン（マイクロ波供給手段）
６ａ  アンテナ
６ｂ  導波管
７  制御手段
７ａ  マグネトロン駆動電源
８  上枠
９  ヒンジ
１０  加水手段（水供給手段）
１４  加熱板
１５  加熱板加熱手段
１６  加熱板温度検知手段
１７  ポンプ
１８  水経路
１９  蒸気孔
２０  吸水口
２１  弁
【図１】
2014200470.tif 000003
【図２】
2014200470.tif 000004
【図３】
2014200470.tif 000005
【図４】
2014200470.tif 000006
【図５】
2014200470.tif 000007
【図６】
2014200470.tif 000008